(57)【要約】【課題】　違法に記録された無線音声／映像信号を検出する機能を備えた装着型腕時計を提供すること。【解決手段】　本発明の装着型腕時計装置１は、筐体１０、制御回路ユニット１１、表示ユニット１２、記憶ユニット１３、入力ユニット１４、クロノメータ１５、電池１６、トグルスイッチ２０、及び無線周波数走査ユニット１８及び周波数変調ユニット１９からなる無線多周波数走査器１７などを備えている。　これによって、使用者が様々な周波数を有する違法に記録された音声／映像を送信する無線周波数信号を検出し、かつ検出した周波数の値及び信号強度を表示ユニット上にいつでも表示させることができる。また、その際、腕時計に付加されたブザー（図示せず）が作動するように電圧が印加される。【選択図】　　　図１
2004125789.tif 000002
【特許請求の範囲】
【請求項１】
　違法に記録された無線音声／映像信号を検出する機能を備え、無線周波数の検出、及び時間とデータの表示に使用される装着型腕時計であって、
　データ処理、時間測定及び各部材の作動を制御する制御回路ユニットと、
　前記測定時間とデータを表示する表示ユニットと、
　データを保存する記憶ユニットと、
　前記制御回路ユニットにデータ及び制御信号を入力し、当該制御回路ユニットを前記データを処理させ、及び前記制御信号に基づいて、各部材の作動を制御させることに使用する入力ユニットと、
　タイミングデータを提供するクロノメータと、
　作動電圧を供給する電源と、
　無線周波数を走査及び検出する無線周波数走査ユニット及び周波数変調ユニットからなり、筐体内に配置された無線多周波数走査器と、
　前記無線多周波数走査器の帯域幅の調整及びデータの入力を調整するトグルスイッチと、
　前記部品を収納するスペースを定めている筐体と、
を備えていることを特徴とする装着型腕時計。
【請求項２】
　前記表示ユニットは液晶表示装置であって、かつ前記検出された無線周波数の値及び強度を表示できるようになされていることを特徴とする請求項１に記載の装着型腕時計。
【請求項３】
　検出しようとする無線周波数に応じて長さが調整できる組込み式の伸縮可能なアンテナと、前記検出された無線周波数の信号強度を示す機能を備えたブザーとを更に備えていることを特徴とする請求項１に記載の装着型腕時計。
【発明の詳細な説明】
【技術分野】
【０００１】
　本発明は、違法に記録された無線音声／映像信号を検出する機能を備えた装着型腕時計に係り、特に、通常の時計機能及び違法に記録された無線音声／映像信号を検出する機能の両方を備える携帯型時計に関する。
【背景技術】
【０００２】
　近年、科学技術の迅速的な発展に伴い、ビデオカメラのようなオーディオ／ビデオ記録装置は非常に小型化されており、このような超小型のビデオカメラは、機密を盗み取り及び／又は人々の私的な行動をのぞき見るために、隠し得るいかなる場所にも設置でき、特に、前記ビデオカメラに内蔵された小型ＲＦ（無線周波数）信号送信機を利用して、違法に記録されたオーディオ／ビデオを離れた受信機に無線で送信し、リアルタイムに記録及び／又は再生することができるが、これに対する有効な対策がまだ見当たらない。
【発明の開示】
【発明が解決しようとする課題】
【０００３】
　従来は、違法に記録された無線音声／映像信号の検出手段として、ＡＣＥＣＯエレクトロニクス社（ＡＣＥＣＯ　ＥＬＥＣＴＲＯＮＩＣＳ，　Ｃｏｒｐ）社製のＦＣ１０００／ＦＣ２０００シリーズ製品のような周波数カウンターが用いられ、５０Ω及び１ＭΩの入力インピーダンスのいずれかを選択することで、無線送信機から送信される１０Ｈｚから５０ＭＨｚ及び１ＭＨｚから３ＧＨｚの間の帯域の無線信号をそれぞれ検出して音声／映像無線信号を捉えることができる。
【０００４】
　しかしながら、このような周波数カウンターは、専門用のものであり、個人に対しては、大きすぎ、また高価であるため実用性に欠いている。
【０００５】
　したがって、違法に記録された無線音声／映像信号を検出する機能を備え、小型で軽く、しかも安価であり、更に全天候型で、違法に隠されている場所を正確に見つけ出すことができる便利で携帯可能な装置を開発することが、特に要望されていた。
【０００６】
　本発明は、前述した事情に鑑みてなされたもので、違法に記録された無線音声／映像信号を検出する装置を小型化し、しかも装着型腕時計内に配置し、使用者が全天候にて装着でき、且つ取り外す必要がなく、いつでもどんな場所でも様々な無線信号を検出し、ビデオカメラが違法に隠されている場所を正確に見つけ出すことができる便利で携帯可能な装置を提供することを目的とするものである。
【課題を解決するための手段】
【０００７】
　上記目的を達するために、本発明は、違法に記録された無線音声／映像信号を検出する機能を備え、無線周波数の検出及び時間とデータの表示に使用される装着型腕時計を提供することを目的とするものである。
【０００８】
　前記目的を達成するため、本願の請求項１に係る装着型腕時計の発明は、違法に記録された無線音声／映像信号を検出する機能を備え、無線周波数の検出、及び時間とデータの表示に使用される装着型腕時計であって、
　データ処理、時間測定及び各部材の作動を制御する制御回路ユニットと、
　前記測定時間とデータを表示する表示ユニットと、
　データを保存する記憶ユニットと、
　前記制御回路ユニットにデータ及び制御信号を入力し、当該制御回路ユニットを前記データを処理させ、及び前記制御信号に基づいて、各部材の作動を制御させることに使用する入力ユニットと、
　タイミングデータを提供するクロノメータと、
　作動電圧を供給する電源、例えば電池と、
　無線周波数を走査及び検出する無線周波数走査ユニット及び周波数変調ユニットからなり、筐体内に配置された無線多周波数走査器と、
　前記無線多周波数走査器の帯域幅の調整及びデータの入力を調整するトグルスイッチと、
　前記部品を収納するスペースを定めている筐体と、
を備えていることを特徴とする。
【０００９】
　また、本願の請求項２に係る発明は、前記請求項１に記載の装着型時計において、前記表示ユニットは液晶表示装置であって、かつ前記検出された無線周波数の値及び強度を表示できるようになされていることを特徴とする。
【００１０】
　更に、本願の請求項３に係る発明は、前記請求項１に記載の装着型腕時計において、検出しようとする無線周波数に応じて長さが調整できる組込み式の伸縮可能なアンテナと、前記検出された無線周波数の信号強度を示す機能を備えたブザーとを更に備えていることを特徴とする。
【発明の効果】
【００１１】
　本願の請求項１に係る装着型腕時計の発明においては、小型、軽量かつ安価でありながら、通常の時計機能だけでなく、違法に記録された無線音声／映像信号を検出することできるようになる。
【００１２】
　また、本願の請求項２に係る装着型腕時計の発明においては、表示ユニットとして液晶表示装置を使用したので、消費電力が少なく、検出した違法な無線音声／映像信号の周波数値や強度等、多様な表示を行うことができるようになる。
【００１３】
　更に、本願の請求項３にかかる装着型腕時計の発明においては、検出される周波数に応じて好適となるように伸縮可能なアンテナが搭載されているので、違法に記録された無線音声／映像信号の検出感度が向上すると共に、ブザーの間欠的な作動の時間間隔により使用者と前記映像、音声を送信する無線信号源との間の距離の遠近を指示できるので、この違法に記録された無線音声／映像信号送信する無線信号源の方向及び場所の検知が容易となる。
【００１４】
【特許文献１】特開２００１−１８６５４６号公報
【特許文献２】特開２００２−１４２２３５号公報
【発明を実施するための最良の形態】
【００１５】
　本発明における上記及び他の目的、特徴、及び優位性は以下の説明と図面により更に明白になるであろう。ここで、参照数字は対応する部品を示す。図１及び図２を参照すると、図１及び図２は、それぞれ本発明による好ましい実施例である、違法に記録された無線音声／映像信号を検出する機能を備えた装着型腕時計の概略構造を示す外観図である。
【００１６】
　前記装着型腕時計１は、筐体１０、制御回路ユニット１１、表示ユニット１２、記憶ユニット１３、入力ユニット１４、クロノメータ１５、電池１６、トグルスイッチ（或いは周波数調整ボタン）２０と、無線周波数走査ユニット１８及び周波数変調ユニット１９からなる無線多周波数走査器１７とを備えている。
【００１７】
　同図に示すように、前記筐体１０は、各部材を収納するスペースを定めている。前記制御回路ユニット１１は、データ処理と各部材の作動を制御するために筐体１０の中に配置されている。該制御回路ユニット１１に関しては後で詳細に説明する。前記記憶ユニット１３は、同様に筐体１０に搭載され、データを予め保存することができ、又は外部の電子装置（図示せず）から通信インターフェースを介してダウンロードされたデータを保存することもできる。これらのデータは、映像、文字及び数値から構成することができる。前記入力ユニット１４は、使用者が制御キー２３を介して入力したデータと制御信号を前記制御回路ユニット１１に出力し、該制御回路ユニット１１を、選択キー２２により確定された選択モードに基づいて、データ処理、タイミング、及び各部材間の作動を制御させることができる。
【００１８】
　前記表示ユニット１２は、液晶表示装置のような表示装置であり、時計の時間及び上記のようなデータを表示するために使用され、前記データの表示は、制御回路ユニット１１を介して選択キー２２の操作により制御されている。前記クロノメータ１５はタイミングデータを提供し、且つタイミングモードを選択した時に該データが前記制御回路ユニット１１を介して前記表示ユニット１２に表示される。前記電源（電池）１６は、各部材に作動電圧を供給し、各部材の対応機能を実行させることができる。
【００１９】
　さらに、本発明の装着型腕時計１は、前記筐体１０内に配置され、無線周波数の走査及び検出に使用され、無線周波数走査ユニット１８及び周波数変調ユニット１９からなる無線多周波数走査器１７を備えている。
【００２０】
　前記無線周波数走査ユニット１８は、予め決められたサンプリング時間に基づいて検出しようとする無線信号を捉え、捉えた無線信号の周波数は、周波数変調ユニット１９により復調されて表示ユニットに表示される。また、前記無線多周波数走査器１７の無線周波数走査ユニット１８及び周波数変調ユニット１９はマイクロ電気メカニカル技術を利用してマイクロモジュールとして形成できる。
【００２１】
　また、検出しようとする周波数に対応するように伸縮可能なアンテナ２１が選択的に装着型腕時計１に搭載できる。さらにまた、トグルスイッチ２０は周波数の帯域の調整とデータの入力に使用され、即ち、トグルスイッチ２０は周波数変調ユニット１９の帯域幅制御の調整ボタンとすることができると共に、データ入力用の入力ボタンとして機能させることもできる。
【００２２】
　しかし、トグルスイッチ２０の機能は、この限りではなく、例えば、周波数の表示、周期の表示、自動ロック、一時的保存及び表示などの切換に使用することもでき、装着型腕時計１上の操作キーの数をできる限り減少し、それによって操作がより便利となり、且つ構造も更に簡単にすることができる。
【００２３】
　更に又、前記装着型腕時計１は、ブザー（図示せず）を備え、該ブザーが検出した無線周波数の信号強度に対応して間欠的な作動の時間間隔を変えることができることにより、使用者と前記映像、音声を送信する無線信号源との間の距離の遠近を指示することができる。
【００２４】
　次に、前記制御回路ユニット１１と各部材との相互作動関係を説明する。前記腕時計１は、タイミングモード、入力モード及び試験モードを含む複数のモードから、選択キー２２により特定の１つのモードを選択することができる。
【００２５】
　タイミングモードを選択した場合、制御回路ユニット１１は、制御キー２３の操作により、クロノメータの機能を制御して時間を表示ユニット１２上に表示させることができる。
【００２６】
　入力モードを選択した場合、制御回路ユニット１１は、制御キー２３及びトグルスイッチ２０により、又はデータ転送インターフェース（図示せず）により入力ユニット１４を介してデータを入力及び更新することができるので、データを処理し、び記憶ユニット１３にデータの保存を指示し、更に表示ユニット１２に対応データの表示を指示することができる。
【００２７】
　また、試験モードを選択した場合、制御回路ユニット１１は、制御キー２３及びトグルスイッチ２０により無線周波数検出の選択機能、例えば、周波数の表示、周期の表示、自動ロック、及び一時保存並びに検出された無線信号周波数の表示等の切換を制御することができる。
【００２８】
　前述したものは、本発明における一つの好ましい実施例のみであり、前記の説明が本発明の範囲を制限するものではなく、当業者であれば上記実施例を変形したり修正することは可能であり、これらの変形と修正も本発明の請求の範囲内にあるということは理解できるであろう。
【図面の簡単な説明】
【００２９】
【図１】本発明の違法に記録された無線音声／映像信号を検出する機能を備えた装着型腕時計の概略を示すブロック図である。
【図２】本発明の好ましい実施例の装着型腕時計を示す説明図である。
【符号の説明】
【００３０】
　１　装着型腕時計
１０　筐体
１１　制御回路ユニット
１２　表示ユニット
１３　記憶ユニット
１４　入力ユニット
１５　クロノメータ
１６　電源（電池）
１７　無線多周波数走査器
１８　無線周波数走査ユニット
１９　周波数変調ユニット
２０　周波数調整ボタン（トグルスイッチ）
２１　アンテナ
２２　選択キー
２３　制御キー
【図１】
2004125789.tif 000003
【図２】
2004125789.tif 000004